(57)【要約】【課題】床下や天井裏に配置され、配置場所からの取り出し及び配置場所への持ち込みを点検口を通して行える空気温調機を提供する。【解決手段】吸込み口１１から吸引した空気を、室外機１２に接続される熱交換器１３によって熱交換し、熱交換した空気をファン１４によって吹出し口１５から排出し、室内に供給する、床下又は天井裏に配置される空気温調機１０であって、熱交換器１３とファン１４の間に電熱ヒーター１６を配置し、しかも、熱交換器１３と、電熱ヒーター１６と、ファン１４とを、それぞれ分割可能で上流側から下流側に空気が流れる第１〜第３の筐体１７〜１９内に配置し、第１〜第３の筐体１７〜１９は、分割した状態で点検口を通して床下又は天井裏からの取り出しと床下又は天井裏への持ち込みが可能である。【選択図】図１
2011085299.tif 000002
【特許請求の範囲】
【請求項１】
吸込み口から吸引した空気を、室外機に接続される熱交換器によって熱交換し、熱交換した空気をファンによって吹出し口から排出し、室内に供給する、床下又は天井裏に配置される空気温調機であって、
前記熱交換器と前記ファンの間に電熱ヒーターを配置し、しかも、前記熱交換器と、前記電熱ヒーターと、前記ファンとを、それぞれ分割可能で上流側から下流側に空気が流れる第１〜第３の筐体内に配置したことを特徴とする空気温調機。
【請求項２】
請求項１記載の空気温調機において、前記第１の筐体と前記第２の筐体、及び前記第２の筐体と前記第３の筐体は、その奥側端部が、取り外し可能な蝶番又は分割可能な蝶番で連結されて、前記蝶番を中心として、前記第１〜第３の筐体が水平方向に開閉することを特徴とする空気温調機。
【請求項３】
請求項１記載の空気温調機において、前記第１の筐体と前記第２の筐体、及び前記第２の筐体と前記第３の筐体は、その奥側端部が、差し込み固定の構造により連結されることを特徴とする空気温調機。
【請求項４】
請求項１〜３のいずれか１記載の空気温調機において、前記第３の筐体には複数の前記吹出し口があって、それぞれにダクトが接続されていることを特徴とする空気温調機。
【請求項５】
請求項１〜４のいずれか１記載の空気温調機において、該空気温調機の制御装置を搭載する第１、第２の電子回路基板が設けられ、該第１の電子回路基板は、前記第１の筐体又は前記第３の筐体の手前側に配置され、前記第２の電子回路基板は、前記第２の筐体の手前側に配置されていることを特徴とする空気温調機。
【発明の詳細な説明】
【技術分野】
【０００１】
本発明は、床下又は天井裏に設置され、空気を熱交換して室内に供給する空気温調機に関する。
【背景技術】
【０００２】
従来、室内の冷暖房を行うのに、筐体内にファン及び熱交換器を備え、熱交換器で熱交換して加熱又は冷却した空気をファンによって室内に送る空気温調機が用いられている。
例えば、特許文献１の空気温調機は、天井裏等に設置され、吸引した空気を熱交換し、ダクトを介して各室内（部屋）に供給している。空気温調機には、複数のダクトが接続されており、各ダクトの空気の出側は、各室内に配置されているので、冷暖房する室内ごとに空気温調機を設置する必要はなく、一台の空気温調機によって複数の部屋の冷暖房を可能とし、空気温調機の導入コストを低減できる。また、空気温調機を床下空間に設置する場合もある。
【先行技術文献】
【特許文献】
【０００３】
【特許文献１】特許第３７４４６８４号公報
【発明の概要】
【発明が解決しようとする課題】
【０００４】
しかし、床下や天井裏に設置された空気温調機は、修理等のため、しばしば床下又は天井裏から取り出される必要があり、そのためには、空気温調機が床板や天井に設けられた点検口を通過しなければならない。そして、一般的に、点検口の大きさは決まっているので、空気温調機は、一定以下の大きさに形成される必要がある。
一方で、空気温調機は、一台で複数の部屋を冷暖房する温調容量を確保するために、物理的大きさの最小化には限度があり、空気温調機の全体を、家屋の建築時に形成された点検口を通過可能な大きさにするのは不可能であった。
【０００５】
特に、寒冷地向けに空気を暖めるものとして、熱交換器に加えて電熱ヒーターを筐体内に設ける場合には、電熱ヒーターの配置スペースのために筐体が大きくなり、空気温調機は、更に大型となる。
本発明は、かかる事情に鑑みてなされるもので、床下や天井裏からの取り出しと床下や天井裏への持ち込みが点検口を通して行うことができる空気温調機を提供することを目的とする。
【課題を解決するための手段】
【０００６】
前記目的に沿う本発明に係る空気温調機は、吸込み口から吸引した空気を、室外機に接続される熱交換器によって熱交換し、熱交換した空気をファンによって吹出し口から排出し、室内に供給する、床下又は天井裏に配置される空気温調機であって、前記熱交換器と前記ファンの間に電熱ヒーターを配置し、しかも、前記熱交換器と、前記電熱ヒーターと、前記ファンとを、それぞれ分割可能で上流側から下流側に空気が流れる第１〜第３の筐体内に配置している。
【０００７】
本発明に係る空気温調機において、前記第１の筐体と前記第２の筐体、及び前記第２の筐体と前記第３の筐体は、その奥側端部が、取り外し可能な蝶番又は分割可能な蝶番で連結されて、前記蝶番を中心として、前記第１〜第３の筐体が水平方向に開閉するのが好ましい。
【０００８】
本発明に係る空気温調機において、前記第１の筐体と前記第２の筐体、及び前記第２の筐体と前記第３の筐体は、その奥側端部が、差し込み固定の構造により連結されることができる。
【０００９】
本発明に係る空気温調機において、前記第３の筐体には複数の前記吹出し口があって、それぞれにダクトが接続されているのが好ましい。
【００１０】
本発明に係る空気温調機において、該空気温調機の制御装置を搭載する第１、第２の電子回路基板が設けられ、該第１の電子回路基板は、前記第１の筐体又は前記第３の筐体の手前側に配置され、前記第２の電子回路基板は、前記第２の筐体の手前側に配置されているのが好ましい。
【発明の効果】
【００１１】
請求項１〜５記載の空気温調機は、熱交換器と、電熱ヒーターと、ファンとを、それぞれ分割可能な第１〜第３の筐体内に配置しているので、空気温調機が配置された床下又は天井裏で第１〜第３の筐体を分離して、それぞれを配置場所から点検口を通して取り出すことが可能である。また、分離された第１〜第３の筐体は、点検口を通して床下又は天井裏に持ち込むことができ、床下又は天井裏から取り出し、修理を完了した空気温調機は、点検口を通して床下又は天井裏に設置することが可能である。
【００１２】
特に、請求項２記載の空気温調機は、第１の筐体と第２の筐体、及び第２の筐体と第３の筐体は、その奥側端部が、取り外し可能な蝶番又は分割可能な蝶番で連結されて、蝶番を中心として、第１〜第３の筐体が水平方向に開閉するので、第１〜第３の筐体を、手前側から開いて、開口側から、内側に配置された部品、部材のうちの一部について、点検作業及び修理作業ができ、床下又は天井裏から取り出すことなく、かつ、第１〜第３の筐体の奥側に回り込むことなく、点検作業及び修理作業を効率的に、短時間で行うことが可能である。
【００１３】
請求項３記載の空気温調機は、第１の筐体と第２の筐体、及び第２の筐体と第３の筐体が、その奥側端部を、差し込み固定の構造により連結されるので、第１の筐体と第２の筐体、及び第２の筐体と第３の筐体の奥側端部の連結は、工具を用いることなく容易に解除することができ、第１〜第３の筐体の分離作業は、少なくとも奥側端部の連結解除に工具を要さず、分離作業を行う者の負担を低減することが可能である。
【００１４】
請求項４記載の空気温調機は、第３の筐体には複数の吹出し口があって、それぞれにダクトが接続されているので、熱交換器で熱交換された空気は、ダクトを経由して、空気温調機から離れた複数の室内等に供給可能である。
【００１５】
請求項５記載の空気温調機は、第１の電子回路基板が、第１の筐体又は第３の筐体の手前側に配置され、かつ、第２の電子回路基板が、第２の筐体の手前側に配置されているので、点検口から床下又は天井裏の空気温調機の配置場所に侵入して、空気温調機の奥側に回り込むことなく、手前側から第１、第２の電子回路基板の取り外し作業ができ、電子回路基板の交換、保守等の作業を効率的に行うことが可能である。
【図面の簡単な説明】
【００１６】
【図１】本発明の第１の実施の形態に係る空気温調機を分離した状態を示す説明図である。
【図２】同空気温調機を用いる空気温調システムの概略説明図である。
【図３】本発明の第２の実施の形態に係る空気温調機を分離した状態を示す説明図である。
【図４】同空気温調機を用いる空気温調システムの概略説明図である。
【発明を実施するための形態】
【００１７】
続いて、添付した図面を参照しつつ、本発明を具体化した実施の形態につき説明し、本発明の理解に供する。
図１、図２に示すように、本発明の第１の実施の形態に係る空気温調機１０は、床下に配置され、吸込み口１１から吸引した空気を、室外機１２に接続される熱交換器１３によって熱交換し、熱交換した空気をシロッコファン（ファンの一例）１４によって吹出し口１５から排出し、室内に供給する装置である。
【００１８】
また、空気温調機１０は、熱交換器１３とシロッコファン１４の間に電熱ヒーター１６を配置し、しかも、熱交換器１３と、電熱ヒーター１６と、シロッコファン１４とを、それぞれ分割可能で上流側から下流側に空気が流れる第１〜第３の筐体１７〜１９内に配置している。
そして、空気温調機１０と、冷媒をガス化又は液化して熱交換器１３に送る室外機１２と、室内の冷暖房の入り切りや温度設定等の操作が行われる操作盤２０とを有して空気温調システム２１が構成されている。
【００１９】
第１〜第３の筐体１７〜１９はそれぞれ、鉄又はアルミ等を素材にして箱状に形成されている。
第１、第３の筐体１７、１９はそれぞれ、横４方に配置された側面のうちの一つに矩形状の開口領域２２、２３を備え、第２の筐体１８は、対向する２つの側面にそれぞれ、開口領域２４、２５を有している。そして、第１〜第３の筐体１７〜１９は、第２の筐体１８の開口領域２４、２５に、第１の筐体１７の開口領域２２、及び第３の筐体１９の開口領域２３をそれぞれ密接配置して、連結可能であり、連結状態で、例えば、縦（第１〜第３の筐体１７〜１９が直列に配置される方向）が６５０〜９００ｍｍ（ここでは、８５０ｍｍ）、横が６００〜７５０ｍｍ（ここでは、７００ｍｍ）、高さが２５０〜３２０ｍｍ（ここでは、３００ｍｍ）の大きさで形成されている。
【００２０】
第１、第３の筐体１７、１９には、開口領域２２を囲む枠板２６、及び開口領域２３を囲む枠板２７がそれぞれ設けられ、第２の筐体１８の開口領域２４、２５がある側面には、開口領域２４、２５を囲む枠板２８、２９がそれぞれ設けられている。
そして、第２の筐体１８の枠板２８、２９は、シール材３０を介して第１の筐体１７の枠板２６及び第３の筐体１９の枠板２７にそれぞれ当接できるので、第１〜第３の筐体１７〜１９は、外部への空気漏れを防止した状態で連結可能である。
また、第１〜第３の筐体１７〜１９は、外側が図示しない断熱材で覆われており、第１〜第３の筐体１７〜１９に内在する空気の温度が外気によって大きな影響を受けるのを防止している。
【００２１】
第１の筐体１７には、開口領域２２のある側面に対向して配置された側面に、複数（例えば４つ）の吸込み口１１が設けられ、各吸込み口１１には、固定バンド３１によって、第１の筐体１７への空気の流入経路である吸込みダクト３２が固定して接続されている。
また、第１の筐体１７内には、熱交換により空気を加熱又は冷却する熱交換器１３が設けられている。熱交換器１３は、冷媒ガス配管３３及び冷媒液配管３４によって、室外機１２に接続されており、暖房運転の際には、冷媒ガス配管３３を経由して室外機１２から高温高圧のガス状の冷媒の供給を受け、液化により生じる凝縮熱によって空気を加熱する。そして、熱交換器１３は、冷房運転の際には、冷媒液配管３４を経由して室外機１２から液状の冷媒の供給を受け、冷媒のガス化する時の気化熱により熱交換器１３の周辺にある空気から熱を吸収して、空気の温度を低下する。
【００２２】
第１の筐体１７は、開口領域２２のある側面に垂直な一の側面（図１において、手前側の側面）に側壁部３５を備えている。側壁部３５には、第１の電子回路基板３６がねじ固定され、第１の電子回路基板３６は、操作盤２０及び室外機１２に信号接続された制御装置３７（図２参照）を搭載している。制御装置３７は、例えば、操作盤２０から送信される信号に従って、室外機１２や、シロッコファン１４等を制御するためのプログラムが格納されたＲＯＭや、冷暖房の設定温度等を記録するメモリー等を有して構成されている。
また、側壁部３５には、第１の電子回路基板３６を覆う保護カバー３８をねじ固定することができ、第１の電子回路基板３６は、保護カバー３８によって覆われて、ほこり等の付着を防止した状態になる。
【００２３】
第２の筐体１８内には、発熱により空気を暖める電熱ヒーター１６が設けられている。
そして、第２の筐体１８は、開口領域２４、２５のある側面に垂直な手前側の側面に側壁部３５ａを備え、側壁部３５ａには、第２の電子回路基板３６ａがねじ固定されている。第２の電子回路基板３６ａは、電熱ヒーター１６及び第１の電子回路基板３６に信号接続された制御装置３７ａ（図２参照）を搭載している。制御装置３７ａは、例えば、暖房運転時に熱交換器１３の表面温度が予め定められた温度（３０〜４０℃の範囲で、例えば３５℃）未満の際には、電熱ヒーター１６を作動する等の電熱ヒーター１６の制御用プログラムが格納されたＲＯＭや、熱交換器１３の表面温度値を記録するメモリー等を有して構成されている。
側壁部３５ａには、第２の電子回路基板３６ａを覆う保護カバー３８ａをねじ固定することができ、第２の電子回路基板３６ａは、保護カバー３８ａによって覆われて、ほこり等の付着を防止した状態になる。
【００２４】
第２の電子回路基板３６ａは、ヒーター接続コード３９を介して第１の電子回路基板３６に接続可能である。第１の電子回路基板３６には、ヒーター接続コード３９の先端部にあるコネクター部４０が挿入されるコネクター受け部材４１、及びコネクター受け部材４１と制御装置３７を電気的に接続する回路が設けられている。なお、熱交換器１３の表面には、コネクター受け部材４１に信号接続された、図示しない温度センサーが取り付けられており、制御装置３７ａは、コネクター受け部材４１及びヒーター接続コード３９を介して、温度センサーで計測した熱交換器１３の表面温度を検知可能である。
【００２５】
第３の筐体１９内には、複数（例えば３個）のシロッコファン１４が取り付けられ、第３の筐体１９は、開口領域２３のある側面に対向して配置された側面に、シロッコファン１４と同数の吹出し口１５が設けられている。
各シロッコファン１４には、それぞれ１つの吹出し口１５が対応しており、各シロッコファン１４の回転速度を変えることにより対応する吹出し口１５から排出される単位時間当たりの空気量を調整可能である。シロッコファン１４は、ファン接続コード４３を介して第１の電子回路基板３６に接続可能であり、第１の電子回路基板３６は、ファン接続コード４３の先端部にあるコネクター部４４が挿入されるコネクター受け部材４５を備えている。
制御装置３７は、第１の電子回路基板３６に配置された回路を介してコネクター受け部材４５に電気接続されており、ＲＯＭに格納されたプログラムに従って、各シロッコファン１４の回転制御を行う。
【００２６】
また、各吹出し口１５には、室内への空気の供給経路である吹出しダクト（ダクトの一例）４２が、固定バンド３１によって固定され接続されている。
シロッコファン１４の作動によって、吸込みダクト３２及び吸込み口１１を介して、第１の筐体１７に取り込んだ空気は、熱交換器１３によって熱交換され、第２、第３の筐体１８、１９を通過し、吹出し口１５及び吹出しダクト４２を経由して、室内に送られる。
なお、暖房運転の際に、電熱ヒーター１６が作動しているときには、熱交換器１３によって加熱された空気は、更に、電熱ヒーター１６で暖められた後に、室内に供給される。
【００２７】
第１の筐体１７は、側壁部３５のある側面に対向して配置された奥側の側面に、リベット等の固定手段によって蝶番４６が固定されている。蝶番４６は、第２の筐体１８の側面にねじ固定可能であり、第２の筐体１８の側面にねじ固定されて、第１、第２の筐体１７、１８を連結する。
また、第１の筐体１７の枠板２６は、第１の筐体１７の底面に垂直配置された対となる垂直板部４７、４８を有している。枠板２６の垂直板部４７は手前側に位置し、複数（例えば３本）のねじ５０によって、第２の筐体１８の枠板２８の手前側の垂直板部４９に固定可能である。そして、枠板２６の垂直板部４８は奥側に位置し、蝶番４６による第１、第２の筐体１７、１８の連結によって、第２の筐体１８の枠板２８の奥側の垂直板部４９ａに密接配置又は密着される。
【００２８】
第１、第２の筐体１７、１８は、蝶番４６で連結され、かつ、ねじ５０による固定を解かれた状態で、蝶番４６を中心（軸）に水平方向に開閉可能であり、第１、第２の筐体１７、１８を開いて、開口側からドライバー等の工具を用いることにより、蝶番４６の第２の筐体１８へのねじ固定を解除することができる。
なお、第１の筐体１７の枠板２６と第２の筐体１８の枠板２８を固定しているねじ５０は、側壁部３５から保護カバー３８を取り外した後に、工具によって取り外し可能である。
また、第２の筐体１８の枠板２８の四隅には、貫通孔５１が形成され、しかも、第１の筐体１７の枠板２６の四隅には、貫通孔５１に挿入される位置決めピン５２が設けられているので、第１、第２の筐体１７、１８の枠板２６、２８は、位置決めして、シール材３０を介して接合することができる。
【００２９】
第２の筐体１８の枠板２９は、第２の筐体１８の底面に垂直配置された垂直板部５３、５４を備え、垂直板部５３は手前側に、垂直板部５４は奥側にそれぞれ配置されている。
そして、第２の筐体１８は、一側に蝶番４６がねじ固定される側面の他側に、リベット等の固定手段によって蝶番５５が固定されており、蝶番５５は、第３の筐体１９の側面にねじ固定可能であり、第３の筐体１９の側面にねじ固定されて、第２の筐体１８の枠板２９の垂直板部５４と第３の筐体１９の枠板２７の奥側の垂直板部５６を連結する。
また、枠板２９の垂直板部５３は、複数（例えば３本）のねじ５７によって、第３の筐体１９の枠板２７の手前側の垂直板部５８に固定可能である。
【００３０】
第２、第３の筐体１８、１９は、蝶番５５で連結され、かつ、ねじ５７による固定を解かれた状態で、蝶番５５を中心（軸）に水平方向に開閉可能であり、第２、第３の筐体１８、１９を開いて、開口側からドライバー等の工具を用いることにより、蝶番５５の第３の筐体１９へのねじ固定を解除することができる。
なお、第２の筐体１８の枠板２９と第３の筐体１９の枠板２７を固定しているねじ５７は、側壁部３５ａから保護カバー３８ａを取り外した後に、工具によって取り外し可能である。
第３の筐体１９の枠板２７の四隅には、貫通孔６０が形成され、しかも、第２の筐体１８の枠板２９の四隅には、貫通孔６０に挿入される位置決めピン６１が設けられているので、第２、第３の筐体１８、１９の枠板２９、２７は、位置決めして、シール材３０を介して接合することができる。
【００３１】
また、第２の筐体１８のない状態で、第１の筐体１７の奥側の側面は、蝶番４６によって、第３の筐体１９の奥側の側面にもねじ固定可能であり、さらに、第１の筐体１７の枠板２６の垂直板部４７は、ねじ５０によって、第３の筐体１９の枠板２７の垂直板部５８にも固定可能であるので、第１の筐体１７と第３の筐体１９は直接連結することができる。
そして、第１、第３の筐体１７、１９を連結して室内の冷暖房を行うことができるので、第２の筐体１８を省いて、第１、第３の筐体１７、１９のみを設置することにより導入コストを抑制した導入形態にすることが可能であり、更に、必要に応じて、導入後に、第２の筐体１８を追加することができる。
【００３２】
第１の筐体１７には、枠板２６の垂直板部４７に、切り欠き６２が形成されていると共に、第２の筐体１８には、枠板２８の垂直板部４９、及び枠板２９の垂直板部５３に、切り欠き６３、６４がそれぞれ形成されている。そして、保護カバー３８には切り欠き６５が形成され、更に、保護カバー３８ａにも左右に切り欠き６６、６７が形成されているので、ファン接続コード４３は、切り欠き６４、６７、６６、６３、６２、及び切り欠き６５を通って、コネクター受け部材４５に接続でき、保護カバー３８、３８ａによって外力から保護された状態になる。
なお、ヒーター接続コード３９は、切り欠き６６、６３、６２、６５を介して、コネクター受け部材４１に接続できる。
【００３３】
空気温調機１０は、第１の筐体１７の側壁部３５が、床板に形成された点検口（正確には中心）の直下位置に対して正面を向く（点検口から見て手前側になる）ように、床下に設置される。従って、第１の筐体１７と第２の筐体１８、第２の筐体１８と第３の筐体１９は、点検口から見て奥側端部が蝶番４６、５５によって連結されることになる。
ここで、点検口は、一般的に６００ｍｍ四方の正方形で形成されており、第１〜第３の筐体１７〜１９は分離されて、それぞれ点検口を通過可能な大きさとなる。具体的には、第１〜第３の筐体１７〜１９は、縦がそれぞれ、３００ｍｍ、２００ｍｍ、３５０ｍｍ、横が７００ｍｍ、高さが３００ｍｍに形成されている。
【００３４】
次に、空気温調機１０が故障等して、空気温調機１０を床下から取り出す工程について説明する。
作業者は、まず、点検口から床下に潜り込み、空気温調機１０に近づいて、固定バンド３１の締付けを緩め、吸込みダクト３２及び吹出しダクト４２を吸込み口１１及び吹出し口１５からそれぞれ取り外した後に、保護カバー３８、３８ａを側壁部３５、３５ａからそれぞれ取り外す。そして、ヒーター接続コード３９のコネクター部４０及びファン接続コード４３のコネクター部４４をそれぞれコネクター受け部材４１、４５から抜き取り、ねじ５０による第１、第２の筐体１７、１８の固定を解除し、蝶番４６を中心に第１、第２の筐体１７、１８を開き、第１、第２の筐体１７、１８の開口側から蝶番４６の第２の筐体１８へのねじ固定を解いて、第１の筐体１７を、第２、第３の筐体１８、１９から分離する。
【００３５】
次に、作業者は、ねじ５７を取り外し、蝶番５５を中心にして第２、第３の筐体１８、１９を開き、第２、第３の筐体１８、１９の開口側から蝶番５５の第３の筐体１９へのねじ固定を解除して、第２、第３の筐体１８、１９を分離する。そして、分離した第１〜第３の筐体１７〜１９を点検口から引き出す。
これにより、作業者は、点検口から見て手前側からの作業で、第１〜第３の筐体１７〜１９の分離を完了することができ、一般的に３８０ｍｍの高さで形成された高さ制限のある床下で、点検口から見て空気温調機１０の奥側に回り込むことなく、効率的に作業を行い作業時間を短縮することが可能である。
【００３６】
なお、修理が完了した第１〜第３の筐体１７〜１９は、分離された状態でそれぞれ、点検口を通して、床下に持ち込み、手前側から第１の筐体１７と第２の筐体１８、第２の筐体１８と第３の筐体１９の各連結作業を行うことができる。
また、作業者は、必要に応じて、床下で、ねじ５０、５７を第１〜第３の筐体１７〜１９から外し、蝶番４６、５５を中心に第１、第２の筐体１７、１８と第２、第３の筐体１８、１９をそれぞれ開いた状態にして、各開口側から、第１〜第３の筐体１７〜１９内に配置された一部の部品、部材（例えばシロッコファン１４）の動作確認等の点検や修理を行うことができ、床下から第１〜第３の筐体１７〜１９を取り出すことなく、短時間で点検及び修理の作業を終えることが可能である。
【００３７】
ここで、第１〜第３の筐体の奥側の側面を固定する蝶番として、第２、第３の筐体から取り外し可能にねじ固定されたタイプを用いる代わりに、所定角度（例えば９０度）未満の角度をなす場合に結合状態を保持し、所定角度以上になったときに分離される２つのヒンジ片を有して構成される分割可能なタイプを用いることもできる。
分割可能な蝶番を用いる場合には、連結する第１、第２の筐体の奥側の側面にそれぞれのヒンジ片を固定して、蝶番を設け、第１、第２の筐体を９０度に開口して、ヒンジ片と共に第１、第２の筐体を分離する。第２、第３の筐体にも同様に、奥側の側面にそれぞれヒンジ片を固定して、蝶番を設けることにより、第２、第３の筐体の連結及び分離が可能となる。
【００３８】
次に、本発明の第２の実施の形態に係る空気温調機８０について説明する。
図３、図４に示すように、空気温調機８０は、第１の実施の形態に係る空気温調機１０において、第１〜第３の筐体１７〜１９が蝶番４６、５５によって連結される代わりに、第１の筐体１７と第２の筐体１８、及び第２の筐体１８と第３の筐体１９は、その奥側端部が、差し込み固定の構造により連結される。なお、空気温調機１０と同一の構成要素については同一の符号を付して詳しい説明を省略する。
【００３９】
空気温調機８０は、第１の筐体１７の、奥側に配置された側面と、枠板２６の垂直板部４８が直角に交わる角部８２に連結軸８３を備えた差し込み部材８４を複数（例えば２つ）有している。
そして、第２の筐体１８の、奥側に配置された側面と枠板２８の垂直板部４９ａが直角に交わる角部８５には、２つの筒状部材８６が固着されている。筒状部材８６には、中央に、第２の筐体１８の底面に垂直な方向の貫通孔が形成され、この貫通孔に差し込み部材８４の連結軸８３を挿入することによって、第１、第２の筐体１７、１８の奥側端部は、連結可能である。
【００４０】
また、第２の筐体１８には、奥側に配置された側面と枠板２９の垂直板部５４が直角に交わる角部８７に、連結軸８８を備えた差し込み部材８９が２つ固着して設けられている。
そして、第３の筐体１９の、奥側に配置された側面と、枠板２７の垂直板部５６が直角に交わる角部９１には、差し込み部材８９と連結可能な筒状部材９２が２つ固着されている。ここで、筒状部材９２の中央には、貫通孔が形成されており、この貫通孔に差し込み部材８９の連結軸８８を挿入することによって、第２、第３の筐体１８、１９の奥側端部は連結可能である。
なお、空気温調機８０と、冷媒をガス化又は液化して熱交換器１３に送る室外機１２と、室内の冷暖房の入り切りや温度設定等の操作が行われる操作盤２０とを有して空気温調システム９３が構成されている。
【００４１】
第１、第２の筐体１７、１８（第２、第３の筐体１８、１９についても同様）を連結した状態から分離する場合には、第１、第２の筐体１７、１８のねじ５０による固定を解除した後に、第１の筐体１７を持ち上げて、差し込み部材８４の連結軸８３を筒状部材８６から抜き取り、第１、第２の筐体１７、１８の分離を行うことができる。
また、分離された第１、第２の筐体１７、１８（第２、第３の筐体１８、１９についても同様）を連結するには、接地面に配置された第２の筐体１８の角部８５に、第１の筐体１７の角部８２を近づけて、差し込み部材８４の連結軸８３を筒状部材８６の貫通孔に上部から挿入し、次に、シール材３０を介して、第１の筐体１７の枠板２６と第２の筐体１８の枠板２８を当接させ、第１、第２の筐体１７、１８の手前側をねじ５０によって固定する。
【００４２】
第１、第２の筐体１７、１８（第２、第３の筐体１８、１９についても同様）は、ねじ５０の固定を解除し、かつ、差し込み部材８４と筒状部材８６を連結している状態で、水平方向に開閉できるので、第１、第２の筐体１７、１８内に配置された一部の部品、部材の動作確認等の点検や修理は、床下で、第１、第２の筐体１７、１８を開いて行うことが可能であり、点検口から第１、第２の筐体１７、１８を取り出して点検等をするのに比べ、作業に要する時間を短縮することができる。
【００４３】
以上、本発明の実施の形態を説明したが、本発明は、上記した形態に限定されるものでなく、要旨を逸脱しない条件の変更等は全て本発明の適用範囲である。
例えば、空気温調機は天井裏に配置してもよく、その場合、第１〜第３の筐体を分離し、天井に形成された点検口を通して、天井裏から取り出すことができる。また、第３の筐体に配置されるファンとして、シロッコファンでなく、ターボファンや、斜流ファン等を採用することも可能である。更に、吸込ダクト及び吹出ダクトは、固定バンドの代わりに、アルミテープによって吸込み口及び吹出し口にそれぞれ取り付けることもできる。
そして、第１の電子回路基板は、第３の筐体の手前側の側面に固定して配置し、保護カバーによって覆ってもよい。
【符号の説明】
【００４４】
１０：空気温調機、１１：吸込み口、１２：室外機、１３：熱交換器、１４：シロッコファン、１５：吹出し口、１６：電熱ヒーター、１７：第１の筐体、１８：第２の筐体、１９：第３の筐体、２０：操作盤、２１：空気温調システム、２２、２３、２４、２５：開口領域、２６、２７、２８、２９：枠板、３０：シール材、３１：固定バンド、３２：吸込みダクト、３３：冷媒ガス配管、３４：冷媒液配管、３５：側壁部、３５ａ：側壁部、３６：第１の電子回路基板、３６ａ：第２の電子回路基板、３７：制御装置、３７ａ：制御装置、３８：保護カバー、３８ａ：保護カバー、３９：ヒーター接続コード、４０：コネクター部、４１：コネクター受け部材、４２：吹出しダクト、４３：ファン接続コード、４４：コネクター部、４５：コネクター受け部材、４６：蝶番、４７、４８、４９：４９ａ：垂直板部、５０：ねじ、５１：貫通孔、５２：位置決めピン、５３、５４：垂直板部、５５：蝶番、５６：垂直板部、５７：ねじ、５８：垂直板部、６０：貫通孔、６１：位置決めピン、６２、６３、６４、６５、６６、６７：切り欠き、８０：空気温調機、８２：角部、８３：連結軸、８４：差し込み部材、８５：角部、８６：筒状部材、８７：角部、８８：連結軸、８９：差し込み部材、９１：角部、９２：筒状部材、９３：空気温調システム
【図１】
2011085299.tif 000003
【図２】
2011085299.tif 000004
【図３】
2011085299.tif 000005
【図４】
2011085299.tif 000006